(57)【要約】【課題】  従来のものを上回る防水性および強度を得ることができ，かつ施工性を大幅に改善する。【解決手段】  前順位の屋根板材１の一側長辺縁部１’と次順位の屋根板材１の他側長辺縁部１”とを両面粘着テープ２を介して重合するとともに，その重合部分をビス１０，１１により上記屋根下地８に固定し，または該重合部を互いに縫合し，さらに，上記重合部分に重合部被覆材４を，上記次順位の屋根板材１の他側長辺縁部１”と上記前順位の屋根板材１とに跨架する状態にしてかつ両面接着テープ６を介して重合し，上記ビス１０，１１の頭端および上記他側長辺縁部１”の端面ならびに上記両面粘着テープ２の端面を被覆する状態において粘着してなる防水屋根構造。【選択図】  図３
0003127981.tif 000002
【実用新案登録請求の範囲】
【請求項１】
屋根下地（８）上に敷設した前順位の屋根板材（１）の一側長辺縁部（１’）と次順位の屋根板材（１）の他側長辺縁部（１”）とを両面粘着テープ（２）を介して重合するとともに，その重合部分をビス（１０，１１）により上記屋根下地（８）に固定し，または該重合部を互いに縫合し，さらに，上記重合部分に重合部被覆材（４）を，上記次順位の屋根板材（１）の他側長辺縁部（１”）と上記前順位の屋根板材（１）とに跨架する状態にしてかつ両面接着テープ（６）を介して重合し，上記ビス（１０，１１）の頭端および上記他側長辺縁部（１”）の端面ならびに上記両面粘着テープ（２）の端面を被覆する状態において粘着してなることを特徴とする防水屋根構造。
【請求項２】
前順位および次順位の屋根板材（１，１）を，屋根下地（８）上のアスファルトルーフィング（９）に敷設し，前順位の屋根板材（１）の一側長辺縁部（１’）と次順位の屋根板材（１）の他側長辺縁部（１”）とを両面粘着テープ（２）を介して重合するとともにその重合部分をローラーで添圧粘着し，また，上記重合部分に両面接着テープ（６）を介して重合した重合部被覆材（４）をローラーで添圧粘着してなることを特徴とする請求項１記載の防水屋根構造。
【請求項３】
カラー鋼板製または素地鋼板製で縦長方形をなし，その一側長辺縁部（１’）上にスーパーブチル両面粘着テープ（２）等の両面粘着テープをその全長にわたり貼着するとともに，その表面には剥離紙（３）を貼着してなることを特徴とする屋根板材。
【請求項４】
巻回状態に梱包してなることを特徴とする請求項３記載の屋根板材。
【請求項５】
段ボール（１３）等のスペーサーを挟持させて巻回状態に梱包してなることを特徴とする請求項３記載の屋根板材。
【請求項６】
カラー鋼板製または素地鋼板製で細長帯状をなし，その両側長辺縁部を下面側に横Ｕ字形に折曲圧潰して二重縁部（５，５）とし，その二重縁部（５，５）の間である下面のほぼ全域にアクリルフォーム強接着両面テープ（６）等の両面粘着テープを貼着するとともに，その下面に剥離紙７を貼着してなることを特徴とする重合部被覆材。
【請求項７】
巻回状態に梱包してなることを特徴とする請求項６記載の重合部被覆材。
【考案の詳細な説明】
【技術分野】
【０００１】
本考案は防水屋根構造，その屋根板材および重合部被覆材に関する。
【背景技術】
【０００２】
従来，複数枚の鋼板製屋根板材を，互いに隣接するものどうしの対向縁部を重合させた状態で敷設して構成する防水屋根構造として，その対向縁部の重合部を熱可塑性ポリオレフィン（ＴＰＯ）帯テープで被覆し，かつそれを熱風溶着装置で融着し，鋼板製屋根板材と一体化させることにより，所定の防水性を確保できるようにしたものが知られている（非特許文献１，２）。
【０００３】
【非特許文献１】北長金日米建材株式会社，”防水工事  プルーフ防水システム”，[online]，[平成１８年７月3日検索]，インターネット＜ＵＲＬ：http://www.jfe-hnk.co.jp/waterproof/index.html＞
【非特許文献２】ＪＦＥ鋼板株式会社，”新商品発売のお知らせ”，[online]，平成1６年１２月２１ 日，[平成１８年7月3日検索]，インターネット＜ＵＲＬ：http://www.jfe-kouhan.co.jp/shincyaku/news/20050104.pdf＞
【考案の開示】
【考案が解決しようとする課題】
【０００４】
しかし，上記防水屋根構造では，鋼板製屋根板材どうしの重合部を被覆する上記熱可塑性ポリオレフィン（ＴＰＯ）帯テープが高価であるため，コストが上がり，かつまた，該帯テープを熱風溶着装置を使用して融着する面倒な作業を必要とするといっ欠点があった。
【０００５】
本出願人は，かかる欠点を改良するために，先に，各鋼板製屋根板材の重合部に，防水弾性挟入板を挟入するとともに，その重合部を防水弾性被覆板と被覆用屋根板材で被覆してなる防水屋根構造を提供し（実願２００６−００５７７１，実用新案登録第３１２５７１０号），これによってコストを低くするとともに，防水性および強度の向上を可能にした。
本考案は，これをさらに上回る防水性および強度を得ることができ，かつ，その施工性を大幅に改善することを目的に提案されたものである。
【課題を解決するための手段】
【０００６】
請求項１記載の本考案防水屋根構造は，屋根下地８上に敷設した前順位の屋根板材１の一側長辺縁部１’と次順位の屋根板材１の他側長辺縁部１”とを両面粘着テープ２を介して重合するとともに，その重合部分をビス１０，１１により上記屋根下地８に固定し，さらに，上記重合部分に重合部被覆材４を，上記次順位の屋根板材１の他側長辺縁部１”と上記前順位の屋根板材１とに跨架する状態にしてかつ両面接着テープ６を介して重合し，上記ビス１０，１１の頭端および上記他側長辺縁部１”の端面ならびに上記両面粘着テープ２の端面を被覆する状態において粘着してなるものである。
【０００７】
請求項２記載の本考案は，前順位および次順位の屋根板材１，１を，屋根下地８上のアスファルトルーフィング９に敷設し，前順位の屋根板材１の一側長辺縁部１’と次順位の屋根板材１の他側長辺縁部１”とを両面粘着テープ２を介して重合するとともにその重合部分をローラーで添圧粘着し，また，上記重合部分に両面接着テープ６を介して重合した重合部被覆材４をローラーで添圧粘着してなる請求項１記載の防水屋根構造である。
【０００８】
請求項３記載の本考案屋根板材は，カラー鋼板製または素地鋼板製で縦長方形をなし，その一側長辺縁部１’上にスーパーブチル両面粘着テープ２等の両面粘着テープをその全長にわたり貼着するとともに，その表面には剥離紙３を貼着してなるものである。
【０００９】
請求項４記載の本考案は，巻回状態に梱包してなる請求項３記載の屋根板材である。
【００１０】
請求項５記載の本考案は，段ボール（１３）等のスペーサーを挟持させて巻回状態に梱包してなる請求項３記載の屋根板材である。
【００１１】
請求項６記載の本考案重合部被覆材は，カラー鋼板製または素地鋼板製で細長帯状をなし，その両側長辺縁部を下面側に横Ｕ字形に折曲圧潰して二重縁部５，５とし，その二重縁部５，５の間である下面のほぼ全域にアクリルフォーム強接着両面テープ６等の両面粘着テープを貼着するとともに，その下面に剥離紙７を貼着してなるものである。
【００１２】
請求項７記載の本考案は，巻回状態に梱包してなる請求項６記載の重合部被覆材である。
【考案の効果】
【００１３】
本考案防水屋根構造は，前順位の屋根板材１の一側長辺縁部１’と次順位の屋根板材１の他側長辺縁部１”とが両面粘着テープ２を介して重合し，その重合部分をビス１０，１１により屋根下地８に固定し，さらに，その重合部分に重合部被覆材４を，次順位の屋根板材１の他側長辺縁部１”と前順位の屋根板材１とに跨架する状態にしてかつ両面接着テープ６を介して重合し，上記ビス１０，１１の頭端および上記他側長辺縁部１”の端面ならびに上記両面粘着テープ２の端面を被覆する状態において粘着してなるので，防水効果が抜群によいのにくわえ，高い強度を具備する。         
【００１４】
本考案屋根板材は，その一側長辺縁部１’上にスーパーブチル両面粘着テープ２等の両面粘着テープをその全長にわたり予め貼着していることにより，そのテープを，現場でその都度貼着するのに比べて作業性を著しく高めることができる。         
【００１５】
本考案重合部被覆材は，その両側長辺縁部を下面側に横Ｕ字形に折曲圧潰して二重縁部５，５として補強されているのにくわえ，下面のほぼ全域にアクリルフォーム強接着両面テープ６等の両面粘着テープを貼着していることにより，そのテープを，現場でその都度貼着するのに比べて作業性を著しく高めることができる。         
【００１６】
また，本考案の屋根板材および重合部被覆材は，各々を段ボール等のスペーサーを挟持させてあるいはそれを挟持させることなく巻回梱包しておくことにより，保管，出荷輸送さらには現場での取扱いに至便なものである。 
【考案を実施するための最良の形態】
【００１７】
以下図示の実施例について詳述する。 
【実施例】
【００１８】
１は本考案の実施例に係るカラー鋼板製または素地鋼板製の屋根板材で，それは，例えば，幅９１４ｍｍ，長さ２０ｍ，厚さ０．５ｍｍの縦長方形をなしている。２は，この縦長方形の屋根板材１の一側長辺縁部１’上に，その全長にわたり貼着した幅約１００ｍｍの細幅なスーパーブチル両面粘着テープで，その表面には剥離紙３を貼着している。         
【００１９】
４は本考案の実施例に係るカラー鋼板製または素地鋼板製の重合部被覆材で，それは，例えば，幅１２０ｍｍ，長さ２０ｍ，厚さ０．３ｍｍの細長帯状をなし，その両側長辺縁部を，下面側に横Ｕ字形に折曲圧潰して二重縁部５，５として補強している。６は，この細長帯状の重合部被覆材４の二重縁部５，５の間である下面のほぼ全域にわたり貼着したアクリルフォーム強接着両面テープで，その下面に剥離紙７を貼着している。         
【００２０】
これらの屋根板材１および重合部被覆材４による本考案防水屋根構造の施工は次のように行われる。         
【００２１】
屋根下地８上のアスファルトルーフィング９に，先ず前順位の屋根板材１を敷設する（図３（ａ））。   次に，その屋根板材１のスーパーブチル両面粘着テープ２の剥離紙３を剥離除去し，次順位の屋根板材１のスーパーブチル両面粘着テープ２を貼着していない他側長辺縁部１”を，両面粘着テープ２を剥離除去した上記両面粘着テープ２に重ね合わせ，その重ね合わせ部分を所要のローラーで添圧し粘着する。  これにより，次順位の屋根板材１の他側長辺縁部１”が前順位の屋根板材１の一側長辺縁部１’に上記両面粘着テープ２を介して重合粘着する。   また同時に，次順位の屋根板材１の上記他側長辺縁部１”以外の部分を上記アスファルトルーフィング９に馴染ませ，かつ，上記重合部分の中心線に沿って例えば６００ｍｍピッチでモドトラスビス１０を，また，その各ビス１０の間に例えば１００ｍｍピッチでトルネードビス１１を打設して，該重合部分を屋根下地８にしっかりと固定する（図３（ｂ）〜（ｄ））。または，この重合部分を互いに縫合する。         
【００２２】
その後，重合部被覆材４の上記強接着両面テープ６の下面の剥離紙７を剥離除去し，該強接着両面テープ６を，上記次順位の屋根板材１の重合状態の上記他側長辺縁部１”と上記前順位の屋根板材１とに跨架するようにして貼着し，打設した上記ビス１０，１１の頭端および上記他側長辺縁部１”の端面ならびに上記両面粘着テープ２の端面を被覆する状態において，上記重合部被覆材４を所要のローラーで添圧粘着し，当該屋根板材１に馴染ませる（図３（ｅ）〜（ｆ））。         
【００２３】
これによって，所期の防水屋根構造の施工が完了するもので，この防水屋根構造によれば，前順位の屋根板材１の一側長辺縁部１’と次順位の屋根板材１の他側長辺縁部１”との重合部が，スーパーブチル両面粘着テープ２を介して粘着し，しかも，モドトラスビス１０とトルネードビス１１とで屋根下地８に固定され，または該重合部が互いに縫合され，その上にさらに，重合部被覆材４がアクリルフォーム強接着両面テープ６を介して重合しているので，防水効果が抜群によいのにくわえ，高い強度を具備する。         
【００２４】
また上記においては，屋根板材１がその一側長辺縁部１’にスーパーブチル両面粘着テープ２を予め貼着し，また，重合部被覆材４がその下面にアクリルフォーム強接着両面テープ６を予め貼着していることにより，それらのテープを，現場でその都度貼着するのに比べて作業性を著しく高めることができる。         
【００２５】
さらに，屋根板材１または重合部被覆材４は，上記したように例えば２０ｍといった一般的に長尺物たるを免れないために，保管や出荷輸送に困難を伴いかつまた現場での取扱いにも不便なものであったが，かかる困難または不便を解消するために，本考案屋根板材または重合部被覆材として，次のような構成のものにしておくことがきわめて有益である。         
【００２６】
すなわち，屋根板材１については，表面に剥離紙３を有する上記スーパーブチル両面粘着テープ２を貼着したまま巻回し，所要の結束バンド１２で梱包しておくことである。   上記巻回に当たっては，図４に示すように，屋根板材１の巻回内面になる側に，スペーサーとして上記両面粘着テープ２と剥離紙３の厚みとほぼ同じ厚みの段ボール１３を重合し，同図矢印方向に巻回することにより，図５の巻回状態にするとともに，上記結束バンド１２で結束して巻回梱包体１４とすることが好適である。         
【００２７】
また，重合部被覆材４については，図１０に示すように，両面接着テープ６，剥離紙７が内側になるように矢印方向に巻回することにより，図１１の巻回状態にするとともに，上記結束バンド１５で結束して巻回梱包体１６とする。         
【００２８】
屋根板材１および重合部被覆材４は，巻回梱包体１４および１６とすることにより，展延状態で取り扱う場合と異なり，その保管，出荷輸送および現場での取扱いを至便にするものである。         
【００２９】
なお，上記においては，屋根板材１の一側長辺縁部１’上にスーパーブチル両面粘着テープ２を貼着し，また，重合部被覆材４の下面にアクリルフォーム強接着両面テープ６を貼着した場合について説明したが，これらのテープ２，６は，両面に粘着層を有するテープで所要の粘着力を有するいわゆる両面粘着テープであれば，スーパーブチル両面粘着テープまたはアクリルフォーム強接着両面テープ以外のものであってもよい。   また，上記においては，重合部分にモドトラスビス１０とトルネードビス１１を打設した場合について説明したが，これらも，該重合部分を屋根下地８にしっかりと固定できるビスであれば，モドトラスビスまたはトルネードビス以外のものであってもよい。 
【図面の簡単な説明】
【００３０】
【図１】本考案屋根板材の実施例の端部を示すもので，（ａ）は斜視図，（ｂ）は横断面図である。
【図２】本考案重合部被覆材の実施例の端部を示すもので，（ａ）は斜視図，（ｂ）は横断面図である。
【図３】本考案の防水屋根構造の施工状況をその順序にしたがい示すもので，（ａ）は屋根下地上のアスファルトルーフィングに屋根板材を敷設した状態の断面図，（ｂ）は前順位の屋根板材の端部に次順位の屋根板材の端部を重合しようとしている状態の断面図，（ｃ）はその重合部にモドトラスビスを打設した状態の断面図，（ｄ）は同重合部にトルネードビスを打設した状態の断面図，（ｅ）は上記重合部に重合部被覆材を重合しようとしている状態の断面図，（ｆ）は該重合部被覆材を重合部に重合圧着し，本考案の防水屋根構造を完工した状態の断面図である。
【図４】図１に示した実施例に係る本考案屋根板材の展延状態斜視図である。
【図５】同上の巻回状態斜視図である。
【図６】図５のI−I線断面図である。
【図７】図６のII−II線拡大断面図である。
【図８】図５のIII−III線断面図である。
【図９】図８のIV−IV線拡大断面図である。
【図１０】図２に示した実施例に係る本考案重合部被覆材の展延状態斜視図である。
【図１１】同上の巻回状態斜視図である。
【図１２】図１１のV−V線断面図である。
【図１３】図１２のVI−VI線拡大断面図である。
【符号の説明】
【００３１】
１        屋根板材
１’      一側長辺縁部
１”      他側長辺縁部
２        両面粘着テープ
３        剥離紙
４        重合部被覆材
５，５    二重縁部
６        両面接着テープ
７        剥離紙
８        屋根下地
９        アスファルトルーフィング
１０，１１  ビス
１２      結束バンド
１３      段ボール
１４      屋根板材の巻回梱包体
１５      結束バンド
１６      重合部被覆材の巻回梱包体
【図１】
0003127981.tif 000003
【図２】
0003127981.tif 000004
【図３】
0003127981.tif 000005
【図４】
0003127981.tif 000006
【図５】
0003127981.tif 000007
【図６】
0003127981.tif 000008
【図７】
0003127981.tif 000009
【図８】
0003127981.tif 000010
【図９】
0003127981.tif 000011
【図１０】
0003127981.tif 000012
【図１１】
0003127981.tif 000013
【図１２】
0003127981.tif 000014
【図１３】
0003127981.tif 000015